(57)【要約】【課題】本発明の目的は、ディスクのシュート出口からの飛び出し速度を増加することである。【解決手段】この目的を達成するため、本発明は以下のように構成されている。入口から出口に向かって下向きに傾斜し、ディスクが転がるガイドレールと、前記ガイドレールに対しほぼ直角方向に上方に延び、かつ、前記ガイドレールの入口から出口に向かってほぼ直角方向に転がり方向を変更する第１ガイド壁とを有するディスクのシュートにおいて、前記ガイドレールの傾斜が一定の傾斜率に形成したものである。【選択図】図１
2004171493.tif 000002
【特許請求の範囲】
【請求項１】
入口（２１）から出口（２２）に向かって下向きに傾斜し、ディスク（Ｄ）が転がるガイドレール（１７）と、
前記ガイドレール（１７）に対しほぼ直角方向に上方に延び、かつ、前記ガイドレール（１７）の入口（２１）から出口（２２）に向かってほぼ直角方向に転がり方向を変更する第１ガイド壁（１８）とを有するディスクのシュートにおいて、
前記ガイドレール（１７）の傾斜が一定の傾斜率に形成されているディスクのシュート。
【請求項２】
前記ガイドレール（１７）の表面が平坦であり、前記出口（２２）に近づくにしたがってディスク（Ｄ）の転がり方向線（２３）を横断する平面（２４）内における水平線（２５）に対する傾斜角度（Ｂ）が増加するよう形成されている請求項１のディスクの選別装置。
【請求項３】
前記第１ガイド壁（１８）に向かい合う第２ガイド壁（１９）を有し、第１ガイド壁（１８）と第２ガイド壁（１９）との間隔はディスク（Ｄ）の直径よりも小さい請求項２のディスクの選別装置。
【発明の詳細な説明】
【０００１】
【発明が属する技術分野】
本発明は、硬貨、メダル等のディスクをガイドするディスクのシュートに関する。
特に、ディスクの真偽を判別する選別装置から送り出されたディスクを貯留部にガイドするディスクのシュートに関する。
更に詳しくは、パチスロ等のゲーム機に使用するディスクのシュートの改良に関する。
なお、本明細書で使用する「ディスク」は、通貨であるコイン、メダル、代用コイン及び、それらと類似のものを包含する。
【０００２】
【従来の技術】
ゲーム機に使用するディスクのシュートとして、実公平４−４５１００号に開示のものが知られている。
このシュートは、ディスク選別装置により選別されたディスクを貯留部に案内するものである。
具体的構造は、底板と側板とを備え、底板が下方に傾斜すると共に側方から前方にほぼ９０度湾曲している。
さらに、ディスクが倒れないように、側板に近接した底板に凹溝が形成されている。
そのため、ディスクは、自重によって凹溝内を転がると共に、側板によって立った状態を保って案内され、その進行方向をほぼ９０度、転向される。
【０００３】
ディスクは、立ったまま転がり落ちるため速度が大きく、シュートから遠い貯留部まで転がり落ちることができる。
また、ディスクの速度が大きいため、山状に盛り上がったマウンドに衝突し、そのマウンドを崩すことができる。
さらに、マウンドに衝突したディスクの跳ね返り量が大きい。
したがって、シュートから飛び出すディスクの速度を大きくすることで貯留部のディスク落下部を広範に分散し、貯留部の容積を十分に活用できるという利点がある。
【０００４】
しかし、このシュートは、ゲーム機の内部に配置されることから、他部品との兼ね合いで設置スペースを大きくとることが出来ない。
すなわち、シュートの傾斜角度及び長さが制限されるため、短距離で最大の出口スピードを得なければならない。
しかるに、従来のシュートの底面の傾斜は、製作の容易化等の理由で、図６に示すように、異なる傾斜角度の組み合わせで作られていた。
【０００５】
このため、限られた傾斜と長さの条件の中で、最大のディスク速度を得ることができず、ディスクの分散が不十分であった。
また、ディスクが連続的に進行するケースにおいて、底面の傾斜が異なる場合、その傾斜に応じてディスクの転がり速度が変わる。
すなわち、傾斜角度が小さい部位、換言すれば、転がり速度が小さい部位において、ディスクの間隔が狭くなる。
【０００６】
これにより、ディスクの転がり姿勢が乱れて通常よりも転がり速度の減少が大きい場合、シュートの途中で後位のディスクが前位のディスクに追いついて衝突することがある。
この場合、倒れたディスクは大幅に速度が低下するため、その後に続くディスクが追突して倒れ、シュートにおいてジャムすることがある。
ジャムが発生した場合、選別装置にディスクが詰まってしまい、ゲームが出来なくなるとう問題がある。
【０００７】
【発明が解決しようとする課題】
本発明の第１の目的は、ディスクのシュート出口からの飛び出し速度を増加することである。
本発明の第２の目的は、シュートにおけるディスクのジャムを防止することである。
【０００８】
【課題を解決するための手段】
この目的を達成するため、本発明は以下のように構成されている。
入口から出口に向かって下向きに傾斜し、ディスクが転がるガイドレールと、前記ガイドレールに対しほぼ直角方向に上方に延び、かつ、前記ガイドレールの入口から出口に向かってほぼ直角方向に転がり方向を変更する第１ガイド壁とを有するディスクのシュートにおいて、前記ガイドレールの傾斜が一定の傾斜率に形成されているものである。
【０００９】
この構成において、ディスクは、ガイドレールに下周縁が接触し、上周縁部が第１ガイド壁に案内されつつ転がり、出口から飛び出す。
このとき、ガイドレールの傾斜が一定の傾斜率であるため、ディスクは、この傾斜に基づいてその転がり速度がほぼ一定の比率で増加する。
【００１０】
すなわち、ディスクの転がり速度は等加速度的に滑らかに増加し、最高速度で出口から貯留部に飛び出す。
したがって、貯留部でのディスクの分散作用が最大限に発揮される。
また、ディスクが連続する場合、ディスクは等加速度的に転がり速度が増加するため、前位と後位のディスク間隔は転がり距離にしたがって増加する。
このため、シュートにおいてディスクジャムが生じることがない。
【００１１】
本発明は、前記ガイドレールの表面が平坦であり、前記出口に近づくにしたがってディスクの転がり方向を横断する平面内における水平線に対する傾斜角度が増加するよう形成されていることが好ましい。
この構成において、入口から出口に達する途中に、ほぼ直角に曲がる湾曲部があるため、これに案内されるディスクは遠心力によって外側、すなわち第１ガイド壁に押しつけられる。
【００１２】
特に、ディスクの下端部周縁はガイドレールとの摩擦接触により横方向にずれにくいが、接触していないディスク上端部は第１ガイド壁に強く押しつけられる。
したがって、ディスクは斜めになりやすく、結果としてディスクは倒れてガイドレールとの摩擦抵抗が大きくなり、速度が低下する。
しかし、ガイドレールが傾斜している場合、ディスクの周縁とガイドレールとがほぼ面接触するため、ディスクの姿勢が安定して倒れることがない。
結果として、ディスクの転がり速度が低下しないので、最高速度でディスクが出口から飛び出すことができるとともにディスクジャムの発生しない。
【００１３】
本発明は、前記第１ガイド壁に向かい合う第２ガイド壁を有し、第１ガイド壁と第２ガイド壁との間隔はディスクの直径よりも小さいことが好ましい。
この構造において、ディスクは第１ガイド壁と第２ガイド壁とに案内されつつ出口へ向けてガイドレール上を転がり落ちる。
そしてそれら第１と第２のガイド壁の間隔はディスクの直径よりも小さいので、ディスクがガイドレールと面接触することがない。
これにより、ディスクは大幅な減速をすることがないのでジャムを生じることがない。
【００１４】
【発明の実施の形態】
図１は、本発明の実施例の全体斜視図である。
図２は、本発明の実施例の正面図である。
図３は、本発明の実施例の右側面図である。
図４は、図２におけるＡ―Ａ線断面図である。
図５は、本発明の実施例のシュートの底面の傾斜線図である。
【００１５】
図１において、投入口１１に投入されたディスクＤは、ディスク選別装置１０によりその真偽が判定され、真ディスクＤのみが選別装置出口１２から転がり出る。
偽ディスクは返却口１３から落下する。
選別装置出口１２に続いてシュート１４が配置されている。
【００１６】
シュート１４はその左端部の裏面に配置したコネクタ１５をディスク選別装置１０の側面に配置した嵌合部１６に嵌合することにより、ディスク選別装置１０に対しワンタッチで着脱可能である。
シュート１４は、平板状のガイドレール１７、第１ガイド壁１８及び第２ガイド壁１９を含んでいる。
【００１７】
ガイドレール１７は、選別装置出口１２に隣接する入口２１から出口２２まで連続的に傾斜している。
その傾斜は、図５に示すように、入口から出口に向かって一定の比率で傾斜している。
換言すれば、ガイドレール１７の傾斜は、ディスクＤが等加速度で転がる傾斜である。
【００１８】
また、ガイドレール１７は、入口２１から出口２２にかけて約９０度湾曲している。
すなわち、図２に示すように、ディスクＤは、入口２１において右方へ進行する指向性を持っているが、出口２２において図２から飛び出す指向性を持っている。
さらに、ガイドレール１７はディスクＤの進行方向線２３と直交する平面２４内における水平線２５に対する傾斜角Ｂを持っている。
この傾斜角Ｂは、出口２２に近づくにしたがって徐々に大きくなるよう設定されている。
【００１９】
ガイドレール１７の外側縁から第１ガイド壁１８がガイドレール１７に対しほぼ直角方向に延びている。
すなわち、図４に示すように、入口２１ではガイドレール１７と第１ガイド壁１８とは直角をなしている。
【００２０】
しかし、図２に示すように、出口２２に近づくにつれ、ガイドレール１７と第１ガイド１８とは鋭角をなすように形成されている。
すなわち、第１ガイド壁１８の水平線２５に対する傾きの増加率よりも、ガイドレール１７の水平線２５に対する傾きの増加率の方が大きい。
【００２１】
第１ガイド壁１８の高さは、入口２１から出口２２までディスクＤの直径よりも大きく形成してある。
第２ガイド壁１９がガイドレール１７の内側縁からほぼ垂直に延びている。
第２ガイド壁１９は、入口２１から僅かに外れた部位において立ち上がり、高さは僅かである。
第２ガイド壁１９の上縁は、入口２１側から水平に出口２２までのびている。
【００２２】
出口２２において、第２ガイド壁１９は、ディスクＤの直径とほぼ同じ高さを有している。
入口２１の近傍において、第２ガイド壁１９の上縁がディスクの直径よりも小さいので、もしこの部位でディスクＤがジャムした場合、ディスクＤは倒れて第２ガイド壁１９を越えてシュート１４から落下できるので、選別装置１０にディスクＤが詰まることがない。
【００２３】
したがって、シュート１４は、ガイドレール１７、第１ガイド壁１８及び第２ガイド壁１９に囲まれ、ガイドレール１７から上方に向かって末広がりの台形状のガイド通路２６を有している。
ガイド通路２６の幅は、ディスクＤの直径よりも小さいので、ディスクＤの面とガイドレール１７とが面接触することがない。
シュート１４は、樹脂の射出成形により、一体成形される。
樹脂は、耐摩耗性に優れたポリアミド系やポリアセタール系が適している。
【００２４】
次に作用を説明する。
投入口１１に投入されたディスクＤは、ディスク選別装置１０によって選別され、真ディスクのみが選別装置出口１２からガイド通路２６に転がり出る。
ディスクＤは、第１ガイド壁１８にその面部が案内され、その下部周面がガイドレール１７上を転がり、横方向から前方へ約９０度滑らかに方向転換される。
【００２５】
ディスクＤが転がる過程において、ガイドレール１７は等加速度の傾斜であるため、ディスクＤは等加速度で転がり速度が増加する。
これにより、ディスクＤの転がり速度は、出口２２において最も大きくなる。
【００２６】
したがって、出口２２から飛び出したディスクＤは、貯留部の遠い部位に達し、マウンド状に積み上がったディスクＤに衝突してそのマウンドを崩し、或いはマウンドに衝突した反動による跳ね返りが大きく、ディスクＤの分散効果が増加する。
【００２７】
またガイドレール１７の水平線２３に対して傾斜角Ｂを有しているため、第１ガイド壁１８に寄りかかったディスクＤの周縁とガイドレール１７とのなす角度が小さいため、ディスクＤの周面とガイドレールＤとはほぼ面接触するので、ガイドレール１７に対する横方向への滑りが発生しにくい。
【００２８】
これにより、ディスクＤの遠心力や重力による倒れを防止することができ、結果として、ガイド通路２４におけるディスクジャムを防止することができる。
したがって、ディスクの選別速度を向上することができるから、ゲームをスピーディに行うことができる。
【００２９】
また、ガイド通路２６の幅はディスクＤの直径よりも小さいので、ディスクＤの面とガイドレール１７とが面接触することがない。
これによって、ディスクＤは大幅な減速をすることがないので、ディスクジャムを生じることがない。
【００３０】
【図面の簡単な説明】
【図１】図１は、本発明の実施例の全体斜視図である。
【図２】図２は、本発明の実施例の正面図である。
【図３】図３は、本発明の実施例の右側面図である。
【図４】図４は、図２におけるＡ―Ａ線断面図である。
【図５】図５は、本発明の実施例のガイドレールの傾斜線図である。
【図６】図６は、従来のガイドレールの傾斜線図である。
【符号の説明】
Ｂ    傾斜角度
Ｄ    ディスク
１７    ガイドレール
１８    第１ガイド壁
１９    第２ガイド壁
２１    入口
２２    出口
２３    転がり方向線
２４    平面
２５    水平線
【図１】
2004171493.tif 000003
【図２】
2004171493.tif 000004
【図３】
2004171493.tif 000005
【図４】
2004171493.tif 000006
【図５】
2004171493.tif 000007
【図６】
2004171493.tif 000008